(57)【要約】本発明はハンドル（２）および頭部（１）を有し、前記頭部上に植毛フィラメント（３）および少なくとも一つの可撓性洗浄要素（６）が設置される歯ブラシに関する。本発明によれば、少なくとも一つの可撓性洗浄要素（６）は、硬質材料で構成されかつ前記頭部（１）に連結される担持要素（５）上に設置されている。本発明は、更に、かかる歯ブラシを製造する方法に関する。
2005518829.tif 000002
【特許請求の範囲】
【請求項１】
ハンドル（２）、ならびに植毛フィラメント（３）および可撓性構造体（６，６’，２２）を備えた頭部（１）を有する歯ブラシであって、前記可撓性構造体（６，６’，２２）は硬質材料で構成されかつ前記頭部（１）に連結された担持要素（５）上に配置されている、歯ブラシ。
【請求項２】
前記可撓性構造体（６，６'，２２）は少なくとも一つの可撓性洗浄要素を含む、請求項１の歯ブラシ。
【請求項３】
前記担持要素（５）は前記頭部（１）と同一材料により構成されている、請求項１または２の歯ブラシ。
【請求項４】
前記担持要素（５）と前記頭部（１）間は解除不可に結合され、前記担持要素（５）と前記頭部（１）間の解除不可の結合は、挟持、スナップ式結合、リベット結合、接着剤結合、溶接、超音波溶接、または加熱結合による、請求項１〜３のいずれか１の歯ブラシ。
【請求項５】
前記可撓性構造体（６，６'，２２）および前記担持要素（５）は二成分または多成分射出成形により形成され、前記可撓性構造体（６，６'，２２）と前記担持要素（５）間は解除不可に結合されている、請求項１〜４のいずれか１の歯ブラシ。
【請求項６】
前記担持要素（５）の材料はポリプロピレン（PP)、スチレンアクリロニトリル（SAN)、アクリロニトリルブタジエンスチレン(ABS)、イソプラスト（登録商標)またはポリエステル(PET)である、請求項１〜５のいずれか１の歯ブラシ。
【請求項７】
前記植毛フィラメント（３）は前記担持要素（５）上に配置されている、請求項１〜６のいずれか１の歯ブラシ。
【請求項８】
前記植毛フィラメント（３）は可撓性構造体（６''）上に固着されている、請求項１〜７のいずれか１の歯ブラシ。
【請求項９】
前記植毛フィラメント（３）は植毛板（１８）に、または直接的に前記頭部（１）に結合されている、請求項１〜６のいずれか１の歯ブラシ。
【請求項１０】
前記植毛フィラメント（３）は前記担持要素（５）および／または可撓性構造体（６''）内の切欠きへ案内されていて、前記頭部（１）へ誘導された後端（３a)で溶接または接着結合されている、請求項１〜９のいずれか１の歯ブラシ。
【請求項１１】
前記担持要素（５）は前記頭部（１）の切欠き（１３）へ挿入されかつ前記頭部（１）へ解除不可に結合されている、請求項１０の歯ブラシ。
【請求項１２】
前記可撓性構造体（６，６'，２２）は天然ゴムまたは合成ゴム、熱可塑性エラストマ、好適には９０未満、特に好適には５０未満のショア硬度Ａを有する熱可塑性エラストマで構成されている、請求項１〜１１のいずれか１の歯ブラシ。
【請求項１３】
前記頭部（１）と前記担持要素（５）間の結合場所は可撓性材料（２２）により被覆されている、請求項１〜１２のいずれか１の歯ブラシ。
【請求項１４】
前記頭部（１）は切欠き（１３）を有し、前記担持要素（５）は前記切欠き（１３）内を移動するように挿入されている、請求項１〜１３のいずれか１の歯ブラシ。
【請求項１５】
少なくとも一つの可撓性洗浄要素（６）が、硬質材料で構成されかつ歯ブラシの頭部（１）に結合された担持要素（５）上に結合される、請求項１〜１４のいずれか１の歯ブラシを製造する方法。
【請求項１６】
前記担持要素（５）と前記頭部（１）は、挟持、スナップ式結合、リベット結合、接着剤結合、溶接、超音波溶接または加熱により相互に対して弛緩不可に結合される、請求項１５の方法。
【請求項１７】
前記植毛フィラメント（３）は前記頭部（１）または植毛板（１８）上に結合され、かつ前記担持要素（５）が結合される前にカットかつ／または円形に形成されかつ／または他の方法により形成される、請求項１５または１６の方法。
【請求項１８】
前記可撓性構造体（６，６'，２２）および前記担持要素（５）は二成分射出成形により形成され、かつその後に前記頭部（１）に連結され、前記可撓性構造体（６，６'，２２）と前記担持要素（５）は弛緩不可に結合される、請求項１５〜１７のいずれか１の方法。
【請求項１９】
前記担持要素（５）は可撓性構造体（６，６'，２２）を有し、前記頭部（１）は、前記担持要素（５）が固定される前に従来植毛群（３）を有し、前記植毛群（３）は機械加工され、かつその後に前記担持要素（５）が前記頭部（１）へ連結される、請求項１５〜１８のいずれか１の方法。
【請求項２０】
前記植毛フィラメント（３）は前記担持要素および／または前記可撓性構造体（６，６'，２２）上に結合するために前記担持要素および／または前記可撓性構造体（６，６'，２２）の切欠きへ案内され、かつ前記頭部へ誘導された後端で溶接または接着剤結合される、請求項１５〜１９のいずれか１の方法。
【請求項２１】
植毛被覆作業および可撓性構造体（６，６'，２２）の製造に続き、前記担持要素は前記歯ブラシの頭部内の切欠きへ挿入されかつ超音波溶接により前記頭部へ弛緩不可に連結される、請求項２０の方法。
【発明の詳細な説明】
【技術分野】
【０００１】
本発明は請求項１の導入部による歯ブラシ、および請求項１５の特徴を有する歯ブラシを製造する方法に関する。
【背景技術】
【０００２】
例えばポリアミド（PA)またはポリエステル(PBT）等で形成された植毛フィラメント群、および付加的可撓性構造体を含む従来植毛構成の歯ブラシは、例えばWO 00/64307およびWO 01/21036から既知である。従来植毛は、ここでは習慣的歯磨きの目的に役立つが、可撓性構造体は異なる機能を達成でき、例えば歯肉をマッサージし、洗浄運動を弱め、歯垢を除去し、歯の表面を研磨し、弾性により植毛を支持し、かつ／または無溶接箇所を封鎖する。WO 00/64307は、従来植毛群と略同一長さでありかつ歯ブラシの頭部の周辺上に設置された棒状の可撓性洗浄要素を有する歯ブラシを開示する。WO 01/21036の場合、弾性洗浄要素は、シート状、例えば波状の形態で従来植毛構成で配置される。WO 00/64307の場合、複数の可撓性洗浄要素は、同一材料で形成されたブリッジを介して相互に連結されている。従来植毛を有する歯ブラシの頭部を被覆する作業に続いて、洗浄要素は射出成形により頭部を包囲することにより形成される。ここでの欠点は、可撓性構造体を製造する前に、植毛フィラメントを、使用のために例えば植毛群を円弧状または所定形状に形成することを必要とすることである。そこで、可撓性構造体を形成するために、射出成形器へ再度挿入する必要がある。この場合、植毛群が損傷を受けまたは汚染される可能性がある。製造可能な弾性構造体の形状は、取りわけ、再成形理由から制限を受ける。
【０００３】
【特許文献１】WO 00/64307
【特許文献１】WO 01/21036
【発明の開示】
【発明が解決しようとする課題】
【０００４】
本発明の課題は、従来植毛、および直線状に製造される可撓性構造体を有する歯ブラシを提供することである。本発明は、更に、かかる歯ブラシの製造方法を提供することを課題とする。
【課題を解決するための手段】
【０００５】
上記課題は、請求項１の特徴を有する歯ブラシにより達成され、その製造方法は請求項１５の特徴を有する方法により達成される。有利改良は従属請求項、明細書および図面から理解できる。
【発明の効果】
【０００６】
本発明によれば、導入部に記載のタイプの歯ブラシの場合に、少なくとも一つの可撓性構造体、例えば洗浄要素は、硬質材で構成される担持要素上に配置される。この担持要素は頭部に連結される。かかる歯ブラシは、付加的部分、例えば可撓性構造体に設けられた担持要素が別々に製造できかつ頭部へ直線状に連結されるので、製造上で有利である。
【０００７】
担持要素と頭部間の連結は、挟持、スナップ式結合、リベット結合等により機械的に、または接着剤結合等により化学的に、または溶接もしくは加熱等により熱的に行なわれることができる。好適には、担持要素を頭部と同一材料で製造する場合には、単一硬質材が歯ブラシを製造するために必要であり、この場合には材料の適合性を確保する必要はない。このことことは、特には超音波溶接に有利である。
【０００８】
硬質材で構成される担持要素上への可撓性構造体の設置は次の利点を有する。即ち、歯ブラシの残部と別々に付加的部分もしくは部品、例えば、ハンドルおよび頭部を製造できる。他の直線状に連結する工程において、担持要素は頭部へ上述の結合方法のいずれかを使用して連結でき、かつ硬質担持要素は、好適には、頭部へ適合するように形成される。担持要素は、例えば後の結合工程で、頭部の周りに係合させて挟持するように形成することができる。硬質担持要素を採用する場合に、付加的部品は取り扱い容易であり、かつ可撓性材料により全体が製造される付加的部品よりも相当容易に把持できる。
【０００９】
付加的部品はハンドルの残部と比較して小さい。従って、必要成形型は小さくかつコスト効果的である。基本となる歯ブラシ本体および植毛カバーは、異なる付加的部品を後の段階で装備する場合であっても標準成形型を使用して製造できる。異なる付加的部品を含む歯ブラシを製造するために、必要なことは付加的部品および／またはそのための成形型を交換することであり、これは直接的に行なうことができかつコスト効果的である。
【００１０】
付加的部品および基本本体を別々に製造する他の利点は、付加的部品を挿入するときに、可撓性洗浄要素が、例えば、従来植毛上に交差し、それと接触またはそれを移動させる場合であっても、所望形状を具現化できることである。分離製造は可撓性構造体の型抜きに如何なる問題も提示しない。洗浄要素が植毛で被覆された頭部上に直接取り付けられる場合に、型抜きを非常に困難にするであろう射出成形による幾何学形状の製造が可能である。
【００１１】
現在までのところ、可撓性構造体は、生産関連理由から、ハンドル部上の可撓性構成材料と同一材料により製造されている。本発明はかかる構造体の材料に相対的に大きな自由度を与え、その結果として例えば異なる硬度を持つ材料の使用を可能にする。
【００１２】
付加的部品と頭部間の解除不可もしくは弛緩不可の結合は、使用時における付加的部品の脱落を阻止し、かつ飲み込みの危険を解消する。
【００１３】
従来植毛は、例えば頭部上に直接、他の担持要素として作用する植毛板上、または可撓性洗浄要素のための担持要素上に結合されており、それぞれ利点を有する。頭部または植毛板上に植毛を結合する作業時に、可撓性構造体および従来植毛は、頭部および付加的部品を組立てる前に、後の使用のために相互に対して独立に準備されてよく、その結果として相互に対する損傷および汚染が生じない。
【００１４】
従来植毛、および可撓性構造体を担持要素上に取り付けることは、二つの構成要素の所望空間配置が可能である利点を有する。このようして準備される担持要素は、仕上げ目的から異なる基本的歯ブラシ本体に連結でき、その結果として少数の基本本体による多数の異なる歯ブラシの実現を可能にする。
【００１５】
両事例において、従来植毛は可撓性構造体が取り付けられる前または後に使用のために準備できる。二つの構成要素が担持要素上に設けられる場合、好適には、第一に、いずれかの洗浄要素を含む可撓性構造体は一体成形され、次に担持要素を、例えば軟質または硬質構成要素内の切欠きを介して、案内される植毛により被覆する。
【００１６】
付加的部品、即ち一つまたはそれ以上の可撓性洗浄要素を備えた担持要素の製造は、好適には二成分または多成分による射出成形により行なわれる。この場合、弛緩不可結合は、好適にはその成分間で行なわれる。
【００１７】
可撓性構造体は担持要素上に側方向に、例えば成形により、設置され、この場合、組立状態において、頭部の外形で側方向で終端するかまたは頭部の外形から突出する。これは、例えば溶接しない箇所を封鎖し、例えば僅かに突出する成形弾性要素により、歯肉をマッサージするのに役立ち、また洗浄時の衝撃防止に役立つ。
【００１８】
可撓性洗浄要素は、好適には、特に天然または合成ゴム等の熱可塑性エラストマで形成される。基本的歯ブラシ本体に使用される材料は、好適には担持要素に使用される、特に、ポリプロピレン（PP)、スチレンアクリロニトリル（SAN)、アクリロニトリルブタジエンスチレン(ABS)、イソプラスト（登録商標)またはポリエステル(PET)である。軟質構成要素のショア硬度Ａは好適には９０未満、特に好適には５０未満である。
【００１９】
担持要素は、ＡＦＴ（Anchor Fee Tufting)法により植毛で被覆されることが特に好ましい。この場合、第一に、硬質担持要素は可撓性構造体と共に、特に二成分射出成形により、形成される。次に、植毛フィラメントが、担持要素および／または可撓性構造体内の切欠きへ、担持要素および／または可撓性構造体上に固着するために誘導され、植毛フィラメントの後端で溶接または接着剤結合される。前記後端は結合時に歯ブラシ頭部へ誘導される。これは、いずれの所望植毛配置、特にシート状植毛の配置であっても大いに実現可能にする利点を有する。担持要素は、特にDE20006311Uに記載の超音波溶接によって、頭部へ連結される。
【００２０】
弾性材料、特に熱可塑性エラストマは、超音波振動を著しく減衰することにより、限定された範囲まで超音波で溶接できるので、担持要素と頭部間の溶接面は好適には可撓性構成要素から少なくとも一部を自由にする。この目的から、軟質構成要素の射出点は、軟質構成要素からの材料ブリッジが溶接面の寸法を縮小しないようにするために、好適には担持要素の植毛担持側に選択される。ただし、可撓性要素が溶接面の領域内に設置される場合には、可撓性要素は、歯ブラシの長軸の側に位置決めされることが望ましい。これは、同様に、担持要素上の側方に無溶接箇所を形成し、他方で、担持要素と頭部間の長手方向の前後領域の溶接を可能にする。このことは、特に前後領域、そしてそれよりも小さい範囲で側方領域が洗浄運動そしてその影響力により負荷を受けるので、担持要素の良好保持を確実にする。歯ブラシ頭部および担持要素を相互に対して移動させ、かつ全体として歯ブラシ頭部の所定レベルの可撓性を達成するために、無溶接箇所の単に形式的な溶接が特に使用できる。
【００２１】
可撓性構造体を、封止リップの形態で無溶接箇所の付加的封止に役立てることが可能である。結果として、担持要素と頭部間のスペースが水の侵入に対して有利に封鎖される。このようにして、この領域での細菌の蓄積を不可能にし、かつ歯ブラシは更に衛生的になる。合理的封止機能を達成するために、ソフトウエア構成要素のショア硬度Ａは好適には５０未満である。
【発明を実施するための最良の形態】
【００２２】
図示歯ブラシの全ては頭部１およびハンドル部２を有する基礎本体を有し、ハンドル部は一部のみが示されている。異なる形状の複数の可撓性洗浄要素６を有する付加的部品４は、歯ブラシが完成状態のときに頭部１に連結される。複数の可撓性洗浄要素６は、また、異なる形状の担持要素に連結される。更に、頭部１は従来植毛フィラメント群３を直接的または間接的に具備する（図１〜５）。植毛フィラメント群３の材料および配置構成は変更できる。個別例示形態の特別の特徴のみが以下で検討され、かつ相互に対応する要素は同一参照番号により示されている。
【００２３】
図１ａ〜１ｃは、植毛群３を備えた頭部１を有する歯ブラシを示す。図１ｂに示された付加的部品４は硬質材料、特に頭部１および／または基礎本体の形成に使用される同一プラスチック、により形成されるＵ形断面の担持要素５を有する。この事例において直線棒の形態の可撓性洗浄要素６は担持要素５に堅く連結される。洗浄要素６は垂直から相互方向へ僅かに傾斜しかつ垂直に対して５°から３０°の角度を形成している。このようにして、弾性洗浄要素６は従来植毛群３と接触し（図１ｄ）かつ植毛群３上に交差してよい（図示せず）。従来製造方法を使用して、かかる位置は高い出費を排斥する方法で実現できる。
【００２４】
担持要素５は、植毛群３から離れた頭部１の領域において図１ｃで観察できる切欠き９に適合する形状である。この領域には更にピン７が設置され、ピン７は担持要素５内の孔８を塞ぐことができるものである。ピン７は冷却形成または加熱形成され、孔８へ永久的に固定される。図１ｄは完成歯ブラシの平面図を示す。
【００２５】
美観または衛生の理由から、孔８または頭部１の下領域は全体として軟質プラスチックで形成された保護層２２により被覆されてよい（図２ｄ参照）。担持要素５と頭部１との境界領域は、同様に、軟質プラスチックで被覆されるのが好適である。この目的から使用される材料例は、歯ブラシのハンドル領域に同様に使用される軟質材料である。保護層は、好適には、ハンドル部の製造時に多成分射出成形により成形される。ただし、プラスチック層が担持要素上に直接的に一体的に形成されてよい。
【００２６】
歯ブラシの他の例として、付加的部品４は図２ａ〜２ｅに示されたようにリベットにより頭部１へ連結される。付加的部品４は板状担持要素５を有し、担持要素５にはシート状可撓性洗浄要素６が円花形態で連結される。担持要素５はピン７’を有し、ピン７’によって付加的部品４が対応する孔８’へ頭部の前端で接続され、かつ変形したピン７’により固定できる。可撓性洗浄要素６は頭部１の先端領域に設置される。個別植毛群３からなる植毛装置はハンドル部２の方向に続く。保護層２２が孔８’の領域を被覆する。
【００２７】
図３ａ〜３ｅは歯ブラシの他の例を示し、これは図２による歯ブラシと同様に形成される。板状担持要素５を有する付加的部品４および円花形可撓性洗浄要素６は、この場合、溶接により頭部１へ連結される。この目的から、頭部の前領域は板状切欠きを有し、この切欠きへ担持要素５が超音波溶接によって対応する構造の下側５ａを介して永久的に導入される。図３ｄは、完成歯ブラシの側面図を示し、かつ図３ｅは従来植毛群３および可撓性洗浄要素６を有する結合植毛構成の平面図を示す。
【００２８】
図４ａ〜４ｅに示された歯ブラシの付加的部品４はスナップ式取付けにより頭部１の中心に締結されている。付加的部品４は、そのコーナーに配置されたウイング形可撓性洗浄要素６と共に矩形担持要素５を含む。二つの棒状洗浄要素６は、同様に、担持要素５上に位置する（図４ｂおよび４ｃ）。図４ａに示されたように、頭部１は中央孔８"を有し、担持要素５上の弾性形態の延長部１１がその中央孔へ差し込まれる。付加的部品４および頭部１はスナップ式取付けにより相互に対して連結され、延長部１１の下端１１ａの拡大断面のために、容易には外れない。従来植毛群３の植毛配置は、図４ａおよび４ｅに示されたように、ウイング形洗浄要素６が従来植毛群３間に位置するように構成される。付加的部品４は別途製造され、かつその後に準備された植毛配置を持つ頭部１へ挿入される。従って、例えば図４ｂ〜４ｅの斜め配置のウイング形要素のごとき、または図８の間隔を置いて異なる方向へ配向して扇形に拡がったピン状洗浄要素のごとき可撓性洗浄要素６を従来配置構成の植毛装置に係合した構造体の実現が可能である。衛生面または美観から、頭部１の下側は可撓性材料により形成された層２２により被覆される。
【００２９】
図５ａ〜５ｅは本発明による歯ブラシの付加的部品４および頭部１間のスナップ式取付けによる他の結合例を示す。頭部１は、従来植毛群３で形成された植毛配置内に付加的部品４を収容するために準備された領域１３を有する。この領域１３は各事例において、ハンドル２の列（長軸）に対して垂直に領域１３の境界線上に延びた溝１２を持つ窪みを含み、溝１２は一定レベルの弾性運動を頭部１に与え、頭部１の側方の境界線上を走る溝１２’も同様である。準備された領域１３は担持要素５の基本面領域よりも僅かに小さく、その結果として、担持要素５を挟むようにして領域１３へ取付けることができる。図５ｅの平面図から理解されるように、付加的部品は、ハンドル２の長軸を横切って配置された棒状洗浄要素およびシート状洗浄要素を有する。
【００３０】
図６ａ〜６ｆは本発明による歯ブラシの他の例、この事例において、電気歯ブラシ用のプラグ付き歯ブラシを示す。従来植毛群３は分離した植毛板１８上に締結され、植毛板１８は組立てた状態で歯ブラシの対応する頭部１、または回転可能もしくは枢軸回転自在に結合されたディスク２３へ連結される。可撓性洗浄要素６はこの事例において棒状であり、平面図において僅かにカーブしかつシート状延長部１６を有する担持要素５上に締結され、シート状延長部１６は洗浄要素６の列に対して事実上垂直に配置される。付加的部品４は延長部１６によりディスク２３内の対応する形状の溝１４へ導入され得る。頭部１および溝１４の中心には円形切欠き１５が形成され、切欠き１５には付加的部品４の延長部１６上の対応する要素１７が係合する。付加的部品４および頭部１は、このようにして、溶接または把持により相互に対して連結される。植毛板１８は下端に溝１９を有し、溝１９により植毛板１８はディスク２３またはその横切る方向の延長部２３ａ上に固定できる。図示形態において、付加的部品４はディスク２３に沿って移動する。選択的には、付加的部品４は頭部１上に直接締結されかつ回転しないようにすることができる。
【００３１】
図７ａ〜７ｅはＡＦＴ法による歯ブラシの製造例を示す。図７ａ〜７ｃは異なるプロセス段階における担持要素５の断面を示し、精確には、可撓性洗浄要素６および従来植毛群３を提供する前（図７ａ）、可撓性材料の付与後（図７ｂ）、および植毛群付与後（図７ｃ）を示す。担持要素５の外形は、歯ブラシの頭部１内の浅い切欠きの形態で準備された領域１３の寸法に適合する。担持要素５は準備された領域２０を有し、この領域へ可撓性洗浄要素６が、特に成形により取付けられる。更に、担持要素５は切欠き２４を有し、切欠き２４は全体または一部が可撓性材料６’で充填される。このことは図７ｅの説明図からも理解できる。担持要素５は、更に、孔２１を含み、この孔に植毛群３が差し込まれかつ初期に後端３ａを溶融することにより後側上に固定される。弾性材料領域６’は更に孔２１’を有し、孔２１’は同様に植毛群３を収容する作用をし、植毛群３は同様にして締結される。材料領域６’は一つまたはそれ以上の植毛群３を収容できる。弾性材内に固着された植毛群６’はこのようにして特に弾力的に固定または取付けられる。植毛群および可撓性構造体６，６'を取付けた担持要素５はその後に準備された領域１３へ挿入される。
【００３２】
担持要素５の縁３０はこの形態において、切欠き１３の基部へ誘導され、図１０および１１の図示例のごとくテーパがつけられている。このテーパ縁３０は、頭部１へ連結する超音波溶接時に、エネルギー集中器および液体化されるべき材料の材料容器として作用する。
【００３３】
ＡＦＴ技法は植毛フィラメントの固定具またはクリップを必要とせず、代わりに担持板もしくは担持要素上に直接溶接される。これは、植毛群の幅が固定具によって決定されず、結果として、微細構造、特にシート状植毛配置の具体化を可能にするこきを意味する。
【００３４】
同様に、ＡＦＴ法の場合、担持板上に植毛フィラメントを取付ける前に使用する植毛フィラメントの準備が技術的に可能になる。ただし、現在具体化されている変形態は、植毛を、一旦、担持板上に取付けられた後に機械加工するもののみである。
【００３５】
図８ａ〜８ｅは図４の歯ブラシの変形を示す。従来植毛群３により構成された植毛配置は図４に対応する。付加的部品４は複数のピン形洗浄要素６を有し、洗浄要素６は星形に拡がりかつ従来植毛群３と係合する（図８ｄおよび８ｅ）。結合機構は、図４に対応する。可撓性材料による層２２は頭部１およびハンドル部品２の下側を被覆する。
【００３６】
図９ａ〜９ｆは本発明による歯ブラシの他の実施形態例を示す。頭部１は付加的部品４の担持要素５のために準備された領域１３を有し、この領域は担持要素５それ自体よりも大きい。領域１３は、例えば、頭部１を貫通する孔であり、これは図９ｂ，９ｄおよび９ｅの断面から理解される。領域１３は二つの横切る溝１３ａを有し、この溝の形状は担持要素５の横切る方向の二つの延長部５ｂの形状に適合する。延長部５ｂは頭部１へ挿入されかつそこへ掛止される。領域１３内の担持要素５の遊びは、横切る方向の移動を可能にしかつ／または延長部５ｂにより形成される軸を中心とする軸運動を可能にし、結果として特に付加的部品５の特定レベルの弾性運動または弾力運動を可能にする。頭部１の後側は、また、柔軟材からなる層によって被覆されてよい。
【００３７】
図１０ａ〜１０ｊはＡＦＴ法により生産される歯ブラシの他の実施形態を示す。図１０ａ〜１０ｃは図７ａ〜７ｃに対応し、かつ各図は異なるプロセス段階における担持要素もしくは担持板５を示す。図１０ｄ〜１０ｆは図１０ａに示された線Ｉ−Ｉに沿った断面における担持板５を示す。中央に配置された可撓性要素６はシート状またはセール形(sail-like)であり、かつ波形平面である（図１０ｈ）。図１０ｅおよび１０ｆに示されたように、可撓性構造体は側方に一体的に形成された領域６'’を含み、領域６'’は組立てた状態で歯ブラシ頭部１に横切って接着されかつ頭部の外形に少なくとも融合して終端する。領域６'’は、例えば、衝撃防止および／または付加的歯肉マッサージに役立つ。領域６'’は、また、植毛群を収容するための孔２１’を有し、植毛群はそのようにして弾性的に取付けられかつ特に洗浄時に追従する。
【００３８】
従来植毛群３、および可撓性構造体６，６'，６”を備えた担持要素５は、歯ブラシ頭部１内の切欠き１３へ挿入される。頭部１は図１０ｇおよび１０ｊにおいて担持要素５を伴わない異なる図で示され、かつ図１０ｈおよび１０ｉにおいて担持要素５は挿入されている。横切る方向の境界上で頭部１または切欠き１３は横切る方向の開口部２５を有し、開口部２５は担持要素５上に予め成形された側方の可撓性領域６”に適合する。
【００３９】
担持要素５は、頭部１へ超音波溶接により連結される。溶接面２６は点線で示されている。溶接を実行するために、担持要素５は、下境界上に、溶接境界２６’を有し、溶接境界２６’は組立時に切欠き１３の基部上に当接し、その接触面は溶接面２６を形成している。溶接境界２６’は超音波の影響下で溶融し、結果として二つの部５と１が相互に結合する。
【００４０】
弾性材料は超音波により制限された範囲まで溶接されるのみであるので、溶接面２６は、例えば、図７の歯ブラシの場合のように、可能な限りその材料の自由を維持し、または図１０の歯ブラシの場合には最小限の干渉のみを伴う。両事例において、その目的は、水または細菌の侵入を阻止するために、担持要素５と頭部１間の空洞２８を完全な程度まで封鎖することである。この目的から、可撓性材料の射出点は、不必要な材料ブリッジが溶接面２６の寸法を縮小しないように、担持要素５の植毛を担持する前側になるように選択されるのが好適である。他の可撓性要素が頭部１上に設けられる場合、特にその後側に設けられる場合には、かかる要素は、溶接面２６の寸法を縮小しないように位置決めされる。例えば、かかる可撓性要素および対応する射出点は溶接面２６により形成される頭部１の後側の領域内に全体が位置決めされる（図示されていない）。頭部１と担持要素５間の前接触面は、好適には少なくとも２５％にわたり、特に好ましくは、頭部の周辺に沿って溶接される（線２６）。
【００４１】
図１０の実施形態において、可撓性領域６”は溶接面２６を遮断し、結果として無溶接場所２７がそこに生じる。無溶接場所２７は頭部１の側に配置されるのが有利であり、他方、担持要素５の長手方向の前後領域は頭部１へしっかりと溶接される。これは、その前後領域が洗浄運動および対応する影響力により極めて高いレベルの負荷を受けるので、担持要素５が確実に保持されることを確保する。
【００４２】
無溶接場所２７は、ここでは封止リップの形態で可撓性領域６”により封止され、その結果、存在しても非常に小量の水のみが、空洞２８へ侵入するのみである。良好な封止機能のために、５０またはそれ未満のショア硬度Ａを有する材料が選択されるのが好ましい。頭部１と担持要素５間の無溶接場所は、また、その二つの硬質構成要素間で一定レベルの可撓性を達成するために、特に採用されてよい。
【００４３】
図１１はＡＦＴ法により生産される歯ブラシの他の実施形態の異なる図を示す。この事例において、二つのセール形可撓性洗浄要素６を有する。担持要素５は可撓性材料６’により周辺が完全に包囲され、可撓性材料６’は組立状態（図１1ａの平面図）において上側で頭部の外周を完全に封入しかつ衝撃防止の作用をする。領域６”において、軟質材料は、可撓性材料６”へ案内される側方の植毛群３のマウントを提供する。
【００４４】
図１１ｃから理解されるように、硬質構成要素（担持要素５および頭部１）は領域６’において軟質構成要素の下で溶接面２６に沿って相互に接触しかつそこで超音波溶接されてよい。上述したように、十分な保持作用が達成されるので、溶接面２６は側方領域６”によって中断される。担持要素５下の空洞２８は可撓性領域６”および面２６に沿って溶接された場所により封止される。
【００４５】
図１０および１１を参照して説明した構成要素の溶接および封止は、同様に、他の歯ブラシに有利に使用できる。
【図面の簡単な説明】
【００４６】
【図１】１ａ〜１ｄは本発明による歯ブラシの組立段階における図を示し、付加的部品はリベットにより頭部へ結合される。
【図２】２ａ〜２ｅはリベットにより付加的部品が結合される他の歯ブラシの図を示す。
【図３】３ａ〜３ｅは付加的部品が溶接により結合される歯ブラシの図を示す。
【図４】４ａ〜４ｅはスナップ式結合により付加的部品を結合する歯ブラシの図を示す。
【図５】５ａ〜５ｅはスナップ式結合により付加的部品を結合する他の歯ブラシの図を示す。
【図６】６ａ〜６ｆは挟持方法により付加的部品が結合される歯ブラシの図を示す。
【図７】７ａ〜７ｅはＡＦＴ法による歯ブラシの製造方法を示す。
【図８】８ａ〜８ｅはスナップ式結合により付加的部品を結合する他の歯ブラシの図を示す。
【図９】９ａ〜９ｆは付加的部品を頭部上に遊びをもって結合する他の歯ブラシの図を示す。
【図１０】１０ａ〜１０ｊはＡＦＴ法による他の歯ブラシの製造方法を示す。
【図１１】１１ａ〜１１ｃは可撓性材料により側周辺を形成した歯ブラシの図を示す。
【図１ａ】
2005518829.tif 000003
【図１ｂ】
2005518829.tif 000004
【図１ｃ】
2005518829.tif 000005
【図１ｄ】
2005518829.tif 000006
【図２ａ】
2005518829.tif 000007
【図２ｂ】
2005518829.tif 000008
【図２ｃ】
2005518829.tif 000009
【図２ｄ】
2005518829.tif 000010
【図２ｅ】
2005518829.tif 000011
【図３ａ】
2005518829.tif 000012
【図３ｂ】
2005518829.tif 000013
【図３ｃ】
2005518829.tif 000014
【図３ｄ】
2005518829.tif 000015
【図３ｅ】
2005518829.tif 000016
【図４ａ】
2005518829.tif 000017
【図４ｂ】
2005518829.tif 000018
【図４ｃ】
2005518829.tif 000019
【図４ｄ】
2005518829.tif 000020
【図４ｅ】
2005518829.tif 000021
【図５ａ】
2005518829.tif 000022
【図５ｂ】
2005518829.tif 000023
【図５ｃ】
2005518829.tif 000024
【図５ｄ】
2005518829.tif 000025
【図５ｅ】
2005518829.tif 000026
【図６ａ】
2005518829.tif 000027
【図６ｂ】
2005518829.tif 000028
【図６ｃ】
2005518829.tif 000029
【図６ｄ】
2005518829.tif 000030
【図６ｅ】
2005518829.tif 000031
【図６ｆ】
2005518829.tif 000032
【図７ａ】
2005518829.tif 000033
【図７ｂ】
2005518829.tif 000034
【図７ｃ】
2005518829.tif 000035
【図７ｄ】
2005518829.tif 000036
【図７ｅ】
2005518829.tif 000037
【図８ａ】
2005518829.tif 000038
【図８ｂ】
2005518829.tif 000039
【図８ｃ】
2005518829.tif 000040
【図８ｄ】
2005518829.tif 000041
【図８ｅ】
2005518829.tif 000042
【図９ａ】
2005518829.tif 000043
【図９ｂ】
2005518829.tif 000044
【図９ｃ】
2005518829.tif 000045
【図９ｄ】
2005518829.tif 000046
【図９ｅ】
2005518829.tif 000047
【図９ｆ】
2005518829.tif 000048
【図１０ａ】
2005518829.tif 000049
【図１０ｂ】
2005518829.tif 000050
【図１０ｃ】
2005518829.tif 000051
【図１０ｄ】
2005518829.tif 000052
【図１０ｅ】
2005518829.tif 000053
【図１０ｆ】
2005518829.tif 000054
【図１０ｇ】
2005518829.tif 000055
【図１０ｈ】
2005518829.tif 000056
【図１０ｉ】
2005518829.tif 000057
【図１０ｊ】
2005518829.tif 000058
【図１１ａ】
2005518829.tif 000059
【図１１ｂ】
2005518829.tif 000060
【図１１ｃ】
2005518829.tif 000061
【国際調査報告】
2005518829.tif 000062
2005518829.tif 000063
2005518829.tif 000064
2005518829.tif 000065
2005518829.tif 000066
2005518829.tif 000067